(57)【要約】【課題】  簡易な構造により、充分な遮光性を実現し、快適な睡眠状況を作出することが可能となるアイマスクを提供する。【解決手段】  左右の遮光体１１，１２と、鼻当接体１５と、装着体３１，３２とを備え、鼻当接体は、鼻部を露出可能な形状に形成された切欠１５ａを有し、当該切欠を閉塞するための中央遮光体２１を備えるとともに、中央遮光体は、左右の遮光体とは別体の薄状材料から形成され、当該左右の遮光体に、変形自在に付設されており、かつ、中央遮光体における切欠からの露出部位において、少なくとも一条の切込線２１ａが設けられているアイマスクＥとした。【選択図】  図１
2016195653.tif 000002
【特許請求の範囲】
【請求項１】
眼部を覆う左右の遮光体と、
前記左右の遮光体を接続するための鼻当接体と、
前記左右の遮光体を顔面に保持させるための左右の装着体と、を備えるアイマスクにおいて、
前記鼻当接体は、装着者の鼻部を露出可能な形状に形成された切欠を有し、
前記切欠を閉塞するための中央遮光体を備えるとともに、
前記中央遮光体は、前記左右の遮光体とは別体の薄状材料から形成され、前記左右の遮光体に、変形自在に付設されており、かつ、
前記中央遮光体における前記切欠からの露出部位において、前記装着者の鼻筋方向に少なくとも一条の切込線が設けられていること、
を特徴とするアイマスク。
【発明の詳細な説明】
【技術分野】
【０００１】
本発明は、顔面に装着して使用するアイマスクに関する。
【背景技術】
【０００２】
旅行時の乗物内や、昼寝時等、周囲が明るい場所において仮眠をとることがある。このとき、夜間と類似の環境を作出することにより快適な睡眠環境を得ることができることは周知の事実であり、そのためにアイマスクを装着する場合も多い。
【０００３】
従来の一般的なアイマスクは、眼部を覆う遮光体と、当該遮光体を顔面に保持するための装着体とを備えるものであり、主として、眼部と鼻部の間から光が入ってしまい、遮光性が不充分であるという欠点があった。そこで、横長の袋体９１に、粒状の収容物９２を流動可能に収容するアイマスクＥ’が提案されている（図４）（特許文献１）。
【特許文献１】登録実用新案公報  第３０４８９６３号
【発明の概要】
【発明が解決しようとする課題】
【０００４】
上記アイマスクＥ’の考案者は、その効果として、アイマスクＥ’を装着した場合に、目の周囲の全体に亘って均一に密接するため、外光を確実に遮断することができると記載している。しかし、このアイマスクＭ’は、装着者が上面を向いていることを想定しており、乗物内などの身体を起こした状態で使用した場合には、その効果を発揮することが難しいとの問題点を有していた。
【０００５】
本発明は、上記問題点を解決するためになされたものであり、簡易な構造により、充分な遮光性を実現し、快適な睡眠状況を作出することが可能となるアイマスクを提供することを目的としている。
【課題を解決するための手段】
【０００６】
本発明のアイマスクは、眼部を覆う左右の遮光体と、当該左右の遮光体を接続するための鼻当接体と、上記左右の遮光体を顔面に保持させるための左右の装着体と、を備えるアイマスクにおいて、上記鼻当接体は、装着者の鼻部を露出可能な形状に形成された切欠を有し、上記切欠を閉塞するための中央遮光体を備えるとともに、上記中央遮光体は、上記左右の遮光体とは別体の薄状材料から形成され、当該左右の遮光体に、上記装着者の鼻部の形状に応じて変形自在に付設されており、かつ、上記中央遮光体における前記切欠からの露出部位において、上記装着者の鼻筋方向に少なくとも一条の切込線が設けられていること、を特徴としている。
【０００７】
ここで、左右の上記遮光体の形状は、眼部を覆い、遮光することができる形状であれば、丸型、楕円型、卵型、長方形型及びそれらの各種変形型等、その形状は問わない。
【０００８】
また、上記左右の遮光体は、睡眠をするために所定の遮光性を有する材料から形成されていればよく、天然繊維、合成繊維、紙類、ゴム、皮革、合成樹脂、金属等の一種或いは二種以上を組み合わせて使用することができるが、加工をする上では不織布等の布体であることが好適である。さらに、布体である場合に、珪砂、トルマリン、麦飯石などの天然鉱石の微粉末などの機能性材料を構成成分として含有させることにより、当該機能性材料の奏する効果（例えば、保温効果、リラクセーション効果など）を発揮させることができるため好適である。
【０００９】
上記鼻当接部は、左右の遮光体の間に設けられている部分であり、当該左右の遮光体と一体で形成されていてもよく、別体で形成した上で、双方の遮光体に接合するものであってもよい。
また、上記鼻当接部は、装着者の鼻部を露出可能となる形状に切欠部が設けられている。装着者の鼻部の形状には個人差があるため、この切欠部は所望の形状に定めることができる。
【００１０】
上記中央遮光体は、切欠部を閉塞するために設けられる部材であり、左右の遮光体とは別体の薄状材料（天然繊維、合成繊維、紙類、ゴム、皮革等の一種或いは二種以上の組合せ）から形成されるものである。そして、この中央遮光体は、変形自在に付設させることからすれば、布体で形成することが好適である。また、中央遮光体は、装着者の鼻部の形状に対応して追従自在に付設されていることが必要であるが、その付設方法は問わないものである。
上記中央遮光体の切込線は、本アイマスクの装着時において鼻部の形状に応じた変形性を高めるために、設けられるものである。
【００１１】
上記装着体は、本発明を装着者に固定するための部分であり、紐状や帯状の部材を用いることが好適である。
【００１２】
本発明によれば、左右の遮光体により、太陽光や照明光が眼に入ってくることを防止できる。
また、鼻当接部は、装着者の鼻部を露出可能な形状に形成された切欠部を有しているため、切欠部に装着者の鼻部の形状に合致させた状態で装着させることができる。
【００１３】
上記切欠部を閉塞するための中央遮光体は、薄状材料から形成され、かつ、装着者の鼻筋方向に少なくとも一条の切込線が変形自在に取り付けられているため、当該中央遮光体が切込線の部分で、鼻筋に沿って、容易に追従して変形することができる。特に、中央遮光体は、左右の遮光体とは別体としており、切込線の存在により、鼻部の形状に対応した追従性能が高いため、当該中央遮光体が、ほぼ間隙を有しない状態で装着者の鼻部に接着して覆うことになる。したがって、身体を起こした状態で装着した場合であっても、従来から課題であった眼部と鼻部との間隙から光が入ることを、効果的に防止することができる。
【発明の効果】
【００１４】
本発明によれば、簡易な構造により、充分な遮光性を実現し、快適な睡眠状況を作出することが可能となるアイマスクを提供することができる。
【図面の簡単な説明】
【００１５】
【図１】本発明のアイマスクを示す正面図である。
【図２】本発明のアイマスクを示す背面図である。
【図３】本発明のアイマスクを装着した場合を示す説明図である。
【図４】従来のアイマスクを示す斜視図である。
【発明を実施するための形態】
【００１６】
以下、図面を参照しつつ、本発明のアイマスクＥ（以下、「本アイマスク」という。）の実施形態の一例について詳細に説明する。なお、図面の説明においては、同一要素には同一符号を付し、重複する説明を省略する。
【００１７】
［本アイマスクの構成］
図１及び図２に示すように、本アイマスクＥは、眼部を覆う左右の遮光体１１，１２及び当該左右の遮光体１１，１２を接続するための鼻当接体１５とから形成される本体部１０と、当該鼻当接体１５の後記切欠１５ａを閉塞する中央遮光体２１と、左右の遮光体１１，１２を顔面に保持させるための左右の紐体（装着体）３１，３２と、を備えている。
本体部１０は、四隅の隅角部が丸みを帯びている略長方形形状であり、幅方向の中間下部における鼻当接部１５の部分には、切欠１５ａが形成されている。
【００１８】
両遮光体１１，１２は、遮光機能を有するフェルトを材料で形成されており、当該フェルト繊維には、珪砂の微粉末が成分の一部として含まれている。
【００１９】
左右の遮光体１１，１２の幅方向の中間部には、装着者Ｍ（使用者）（図３）の眉頭の部分から鼻尖の部分に対応する鼻当接体１５が設けられている。鼻当接体１５も、左右の遮光体１１，１２と同一のフェルトにより、両遮光体１１，１２と一体的に形成されている。この鼻当接体１５は帯状体であり、開口部が下向きである二等辺三角形形状の切欠１５ａが形成されている。
なお、この切欠１５ａは、装着者Ｍの鼻翼を露出可能な形状に形成されている。
【００２０】
上記切欠１５ａは、中央遮光体２１で、内側（装着者Ｍの眼部及び鼻部が当接する側）から閉塞されている。この中央遮光体２１は、本体部１０より小さく形成されている長方形形状であり、左右の遮光体１１，１２とは別体の遮光性能を有し、高い変形性を確保するために左右の遮光体１１，１２と比較して薄いフェルトにより形成されている。
【００２１】
本アイマスクＥは、中央遮光体２１の本体部１０への縫い付け方法に特徴がある。すなわち、中央遮光体２１は、上縁部及び左右の外側縁部に沿って一定幅の縫い代を有して縫い付けられている。そして、下縁部の左右の外側端部から中央方向に向かい、縫い代の部分が漸増し、切欠１５ａの形状にそって立ち上がり、当該二等辺三角形形状の切欠１５ａの頂点近傍にまで縫い付けられている。この縫い付け方法と、後記切込線２１ａの効果により、中央遮光体２１の幅方向の中央下部の部分（鼻当接部１５の切欠１５ａの部分）が、縫糸により拘束成されていない自由端を構成し、変形自在（鼻部の起伏に追従可能となるよう）に形成されている。
【００２２】
上記中央遮光体２１における、鼻当接体１５の切欠１５ａからの露出部位である二等辺三角形形状の部位において、その頂点に略一致する箇所から垂直方向に一本の切込線２１ａが設けられている。この切込線２１ａは、装着者Ｍの鼻筋方向とほぼ一致するものであり、当該中央遮光体２１が鼻部の形状に応じて、変形自在となる機能を発揮させるために設けられている。
【００２３】
左右の紐体３１，３２は、左右の遮光体１１，１２におけるそれぞれ、左側及び右側の端縁部の二か所にループ状に設けられている。そして、端部には、ループ部の紐長さを自在に調節できるように形成されている。
【００２４】
［本アイマスクの作用及び効果］
続いて、図３を参照して、本アイマスクＥの作用及び効果について説明する。
本アイマスクＥを装着する際、装着者Ｍは、左右の遮光体１１，１２で眼部を覆い、鼻当接体１５の上部を眉頭の部分に当接させ、鼻背の部分を切欠１５ａの部位となるように位置決めし、ループ状に形成されている紐体３１，３２の長さを調節し、左右の耳に掛止する。
【００２５】
すると、中央遮光体２１の切込線２１ａが鼻背とほぼ一致し、当該中央遮光体２１が切込線２１ａを境に適度に離間する。そして、鼻背と鼻翼の部分から形成される斜面の形状（以下、「鼻形状」という。）に追従して変形することにより、鼻部に密着して、当該鼻部を覆うことになる。特に、中央遮光体２１は、左右の遮光体１１，１２とは別体であり、かつ、薄状材料から形成されているため、鼻形状に対する追従性能が高いため、当該中央遮光体２１が、ほぼ間隙を有しない状態で装着者Ｍの鼻部に接着して覆うことになる。
【００２６】
したがって、本アイマスクＥによれば、中央遮光体２１の存在により、鼻部と左右の遮光体１１，１２との間に間隙が形成されないため、身体を起こした状態で使用した場合であっても、当該部分から光が入ることを防止することができ、快適な睡眠環境を確保できる。
【００２７】
また、中央遮光体２１は、薄布で形成されており、鼻部に粘着体等で密着していないため、装着時における違和感や皮膚等に対する刺激等を生じさせない構造とすることができる。
さらに、左右の遮光体１１，１２の原材料には、珪砂の部粉末が成分の一部として含まれているため、装着時に保温機能が発揮され、快適に使用することができる。
【００２８】
以上、本発明について、好適な実施形態についての一例を説明したが、本発明は当該実施形態に限られず、本発明の趣旨を逸脱しない範囲で適宜設計変更が可能である。
【００２９】
特に、本アイマスクにおいては、左右の遮光体、中央遮光体の各形状及び材質に関しては、その機能を阻害しないものであれば制限はない。したがって、遮光機能の他の機能が付されているもの等であってよい。
また、装着体は、左右の紐体を使用したが、装着者が左右の遮光体を適切に保持できる構造であればく、端部に長さ調節手段等を備える帯体等の部材を用いることができる。
【００３０】
また、鼻当接部の切欠の形状は三角形としたが、その形状も限定されるものではなく、三角形とした場合であっても、頂角の角度は適宜に定めることができる。
また、中央遮光体を左右の遮光体を着設する方法についても、中央遮光体の鼻部に当接する部位が、変形可能に構成されていれば制限はなく、上縁部のみが縫いつけられていてもよい。
さらに、中央遮光体の切込線の数は一本としているが、その数に制限はない。
【符号の説明】
【００３１】
Ｅ      アイマスク
１０    本体部
１１，１２    遮光体
１５    鼻当接体
１５ａ  切欠
２１    中央遮光体
２１ａ  切込線
３１，３２    紐体（装着体）
【図１】
2016195653.tif 000003
【図２】
2016195653.tif 000004
【図３】
2016195653.tif 000005
【図４】
2016195653.tif 000006